(57)【要約】【課題】階級章の装着及び取外し作業が簡単にでき、かつ、階級章の装着状態を安定して保持できる防御チョッキを提供する。【解決手段】前身頃部１０にプロテクター３を設けたチョッキ本体１の前身頃部に階級章装着手段５を設ける。前記装着手段５は階級章４を装着する部位における前身頃部の表面に固定して設けた面状ファスナ５０の一方のファスナ構成素子５０ａと、この構成素子と対面させると共に前記構成素子の上縁部に沿わせて前身頃部に固定し、この固定部をヒンジ部として前記構成素子に対して接近・離反自在に設けた階級章装着用取付片５１と、この取付片の前記構成素子と対面する側の面に固定して設けた面状ファスナの他方のファスナ構成素子５０ｂとを備える。前記取付片に階級章を装着する。【選択図】図７
0003127396.tif 000002
【実用新案登録請求の範囲】
【請求項１】
身体に着用するチョッキ本体の前身頃部にプロテクターを設けた防御チョッキであって、
前記前身頃部は、階級章を装着する階級章装着手段を備え、
前記装着手段は、階級章を装着する部位における前記前身頃部の表面に縫着等で固定して設けた面状ファスナの一方のファスナ構成素子と、任意の生地材で適宜の大きさに形成され、前記ファスナ構成素子と対面させると共に前記ファスナ構成素子の上縁部側に沿わせて前記前身頃部に縫着等で固定され、この固定部をヒンジ部として前記ファスナ構成素子に対して接近・離反自在に設けた階級章装着用取付片と、この取付片の前記ファスナ構成素子と対面する側の面に縫着等で固定して設けた前記面状ファスナの他方のファスナ構成素子とを備え、
前記取付片に階級章を着脱自在に装着するように構成した
ことを特徴とする、防御チョッキ。
【請求項２】
前記プロテクターが防刃プロテクターであることを特徴とする、請求項１に記載の防御チョッキ。
【請求項３】
前記プロテクターが防弾プロテクターであることを特徴とする、請求項１に記載の防御チョッキ。
【請求項４】
前記プロテクターが防刃・防弾兼用プロテクターであることを特徴とする、請求項１に記載の防御チョッキ。
【考案の詳細な説明】
【技術分野】
【０００１】
本考案は、主に警察官等が使用する防御チョッキに関する。さらに詳しくは、身体に着用し、ナイフ等の刃物や銃弾等による攻撃から身を護るために使用する防御チョッキに関する。
【背景技術】
【０００２】
従来、刃物や銃弾等による攻撃から身を護るために、警察官等は一般に防御チョッキを着用している。一般に警察官等は防御チョッキを着用する場合、チョッキ本体の前身頃部の胸部に階級章を装着している。
【０００３】
従来の防御チョッキは図９に示すように構成され、階級章は同図に示す方法により装着している。以下、図９を参照して従来の防御チョッキの構成及び階級章の装着方法について説明する。
【０００４】
防御チョッキは図９に示すように、前身頃部１０１と後身頃部１０２とを有し、身体（図示せず）に着用するように構成したチョッキ本体１００と、プロテクター１０３とを備えている。前身頃部１０１は、図９（ｂ），（ｃ）に示すように表生地１０４と裏生地１０５とを有し、両生地１０４，１０５間に収容部１０６を形成してある。プロテクターは収容部１０６内に収容して設けてある。図９（ａ）において、１０７は肩ベルト、１０８は腰ベルトを示す。
【０００５】
階級章１１０は、階級章本体１１１と、この本体１１１の裏面側に適当な間隔を存し、相対して突設した一対のネジ棒１１２と、両ネジ棒１１２にそれぞれ螺合する止めネジ部材１１３（ナット部材）とを備えてなっている。そして、従来は階級章を次の方法により装着している。即ち、図９（ｃ）に示すように、前身頃部１０１の両生地１０４，１０５の所定の部位に共通するネジ挿入孔１１４，１１４、１１５，１１５を設け、表生地１０４側から両ネジ棒１１２を前記挿入孔１１４，１１５に挿入して貫通し、ネジ部材１１３をネジ棒１１２にそれぞれ螺合して締付けて固定し、階級章１１０を装着している（第１の装着方法）。
【０００６】
また、従来の他の装着方法として、図９（ｄ），（ｅ）に示す方法も採用されている。この方法は同図（ｄ），（ｅ）に示すように、織布その他の任意の生地材で適当な大きさに形成した階級章装着用取付片１１６を設けると共にこの取付片１１６にネジ挿入孔１１７，１１８を設け、両ネジ棒１１２を前記孔１１７，１１８に挿入して貫通し、ネジ部材１１３をネジ棒１１２にそれぞれ螺合して締付けて固定する。これにより、階級章１１０を取付片１１６に装着する。そして、前記状態で図９（ｅ）に示すように、前身頃部１０１の表生地１０４の所定の部位に取付片１１６の周縁部を縫着１１９して階級章１１０を前身頃部１０１に装着している（第２の装着方法）。
【０００７】
しかし、従来の階級章装着手段を採用した防御チョッキは次のような問題を有している。即ち、第１の装着方法を採用した防御チョッキは、前身頃部にネジ挿入孔１１４，１１５を直接開設するので、前身頃部の両生地を損傷する問題がある。また、防御チョッキの着用時に止めネジ部材１１３が着用者の衣服に接触しているので、着用中にネジ部材が摺接等により回動して緩んで脱落する恐れがある。
第２の装着方法を採用した防御チョッキによれば、上述した問題は解消することができるが、次のような問題を有している。例えば、チョッキ本体を洗濯する際等には階級章をチョッキ本体から取り外して行うが、第２の装着方法は階級章の装着作業が煩雑で手間が掛る。
なお、警察官等が衣服の胸部（胸ポケットの上部等）に階級章を装着する際には、第１の装着方法と同様の方法を一般に採用している（例えば、特許文献１参照）。
上記のように、第１及び第２の装着方法を採用した防御チョッキは上述したような欠点を有しているが、これらの問題点を解消した防御チョッキは未だ提案されていない。
【特許文献１】実用新案登録第３００９２６５号公報
【考案の開示】
【考案が解決しようとする課題】
【０００８】
本考案は上記のような実情に鑑みてなされたもので、上述した問題を解消し、階級章の装着及び取外し作業が簡単にできると共に階級章の装着状態を安定して保持できる階級章装着手段を備えた防御チョッキを提供することを目的とするものである。
【課題を解決するための手段】
【０００９】
上記目的を達成するため、本考案のうち１つの考案（第１の考案）は、身体に着用するチョッキ本体の前身頃部にプロテクターを設けた防御チョッキであって、前記前身頃部は、階級章を装着する階級章装着手段を備え、前記装着手段は、階級章を装着する部位における前記前身頃部の表面に縫着等で固定して設けた面状ファスナの一方のファスナ構成素子と、任意の生地材で適宜の大きさに形成され、前記ファスナ構成素子と対面させると共に前記ファスナ構成素子の上縁部側に沿わせて前記前身頃部に縫着等で固定され、この固定部をヒンジ部として前記ファスナ構成素子に対して接近・離反自在に設けた階級章装着用取付片と、この取付片の前記ファスナ構成素子と対面する側の面に縫着等で固定して設けた前記面状ファスナの他方のファスナ構成素子とを備え、前記取付片に階級章を着脱自在に装着するように構成したことを特徴とする。
【００１０】
上記のように構成すると、階級章を前記取付片に装着し、その状態で前記取付片を前記一方のファスナ構成素子へ押付けると前記取付片は面状ファスナにより前身頃部に係脱自在に係着するので階級章は前身頃部に安定して装着される。また、前記取付片を引っ張って面状ファスナによる係着を解除することにより階級章を前記取付片から容易に取外すことができる。
【００１１】
本考案のうち他の１つの考案（第２の考案）は、第１の考案の防御チョッキにおいて、前記プロテクターが防刃プロテクターであることを特徴とする。
【００１２】
本考案のさらに他の１つの考案（第３の考案）は、第１の考案の防御チョッキにおいて、前記プロテクターが防弾プロテクターであることを特徴とする。
【００１３】
本考案のさらに他の１つの考案（第４の考案）は、第１の考案の防御チョッキにおいて、前記プロテクターが防刃・防弾兼用プロテクターであることを特徴とする。
【考案の効果】
【００１４】
本考案によれば次のような効果を奏する。（１）階級章装着用取付片に階級章を着脱自在に装着するように構成したので、階級章の装着及び取外し作業を簡単に行うことができる。（２）階級章は前身頃部に確実かつ安定して装着できると共にチョッキの着用中等に階級章が不用意に脱落するのを防止することができる。（３）前身頃部に階級章のネジ棒を挿入するネジ挿入孔を設ける必要が無くなる。
【考案を実施するための最良の形態】
【００１５】
以下、図面を参照して本考案の防御チョッキの最良の実施の形態の一例を説明する。
【００１６】
図１ないし図８は本考案の一実施の形態を示すものであって、図１は本考案の一実施の形態の防御チョッキの構成を概略的に示す正面説明図（ａ）と背面説明図、図２は前記チョッキの前身頃部の構成を概略的に示す説明図、図３は前記チョッキの後身頃部の構成を概略的に示す説明図、図４は前記チョッキのプロテクターの構成を概略的に示す説明図、図５は前記プロテクターの作用説明図、図６は前記プロテクターを装着した前記前身頃部の作用説明図、図７は前記チョッキの前身頃部に設けた階級章装着手段の一実施の形態の構成及び階級章の装着状態等を概略的に示す説明図、図８は前記チョッキの着用状態を示す説明図である。
【００１７】
上記図１〜図８において、この実施の形態の防御チョッキは、前身頃部１０と後身頃部２０とを有し、身体２（図８参照）に着用するように構成したチョッキ本体１と、プロテクター３と、階級章４を装着する階級章装着手段４とを備え、プロテクター３及び前記装着手段４はチョッキ本体１の前身頃部１０に設けてある。
【００１８】
実施の形態のチョッキ本体１は、前身頃部１０と後身頃部２０を別体に形成してある。この場合、前身頃部１０と後身頃部２０を一体的に構成してもよいこと勿論である。
【００１９】
チョッキ本体１の前身頃部１０は、身体２の胸部から腹部までの部位を覆う第１の身頃部１０ａと、身体２の下腹部を覆う第２の身頃部１０ｂと、身体の両脇腹部を覆う第３及び第４の身頃部１０ｃ，１０ｄとを備えている。
【００２０】
実施の形態の前身頃部１０は、前身頃部１０の左右上端部に肩ベルト部１１ａ，１１ｂを備え、両ベルト部１１ａ，１１ｂに面状ファスナ１７，１７の一方のファスナ構成素子１７ａ，１７ａが縫着等により固着して設けてある。後身頃部２０の後述する両肩ベルト部は前記両肩ベルト部１１ａ，１１ｂに係脱可能に係着される。
前記面状ファスナ１７としては、例えば商品名、マジックテープ（登録商標）やベルクロ（登録商標）等の面状ファスナを採用することができる。この点に関しては後述する各面状ファスナについても同様である。
【００２１】
前身頃部１０の第１ないし第４の身頃部１０ａ…１０ｄは、図２に詳細に示すように、表生地１２と裏生地１３とを有し、両生地１２，１３の周縁部等を縫着等より固着し、両生地１２，１３間に収容部１４を形成してある。前記プロテクター３は収容部１４内に収容して設けられる。
【００２２】
前身頃部１０の中央部には、前記収容部１４の上端から下端にわたり、表生地に取り付けたスライドファスナ１５を備え、スライダー１５ａでファスナ１５を開閉して収容部１４を開閉できるように構成してある。前記プロテクター３はファスナ１５を開けて収容部１４内に収容して前身頃部１０に装着して設けられる。このように構成すると、プロテクター３の装着作業が容易になると共に修理等を行う場合にも作業が容易になる。
【００２３】
前身頃部１０の第３及び第４の身頃部１０ｃ，１０ｄの略中央部における表生地１２の表面には、留め金具６の一方の留め具６ａ，６ａ（雌留め具）を任意の取付手段で表生地１２に取付けて設けてある。また、両留め具６ａと対向させると共に両身頃部１０ｃ，１０ｄの外縁部（外端部）近くに位置させてベルト通し部材１６，１６が縫着等により固着して設けてある。後身頃２０の後述する腰ベルトに設けた留め金具６の他方の留め具６ｂ（雄留め具）は、前記雌留め具６ａに係着して固定（連結）される。また、雌留め具６ａの操作部６ｃを押動操作して係着を解除して両者６ａ，６ｂを切り離し可能に構成されている。
【００２４】
実施の形態の後身頃部２０は、図３に詳細に示すように、前身頃部１０の両肩ベルト部１１ａ，１１ｂと対応させ、後身頃部２０の左右上端部に肩ベルト部２１ａ，２１ｂを備え、両ベルト部２１ａ，２１ｂに前記面状ファスナ１７，１７の他方のファスナ構成素子１７ｂ，１７ｂが縫着等により固着して設けてある。後身頃部２０の両肩ベルト部２１ａ，２１ｂと前身頃部１０の両肩ベルト部１１ａ，１１ｂは面状ファスナ４により係脱自在に係着して連結される。この実施の形態のように構成すると、肩ベルトの長さを着用者に対応させて任意に調節して着用することができる。
【００２５】
後身頃部２０は、前身頃部１０の第３及び第４の身頃部１０ｃ，１０ｄの中央部に対応する部位に位置させて後身頃部２０の巾方向に向けて後身頃部２０の背面側に縫着等で固定して設けた適当長さの腰ベルト２２を備えている。腰ベルト２２の両端部には前記留め金具６の他方の留め具６ｂ（雄留め具）が取付けてある。実施の形態の腰ベルト２２の先端部には面状ファスナ２３の一方のファスナ構成素子２３ａが縫着等により固定して設けてあると共に腰ベルト２２の先端部以外の部位にはファスナ２３の他方のファスナ構成素子２３ｂが縫着等により固定して設けてある。
そして、ベルト２２の両端部を雄留め具６ｂ，６ｂの所定部に挿通して引き出し、両ファスナ構成素子２３ａ，２３ｂを係脱自在に係着させて両雄留め具６ｂをベルト２２の両端部に取り付けてある。この実施の形態の構成を採用すると、ベルト２２の長さを自由に調節することができる。したがって、腰ベルト２２の長さを着用者に対応して調節し、使用することができる。
【００２６】
前記プロテクター３は、身体２の胸部から腹部までの部位を防護する第１の防護部３１と、身体２の下腹部を防護する第２の防護部３２と、身体２の両脇腹部を防護する第３及び第４の防護部３３，３４とを備えている。この実施の形態は、プロテクター３として防刃プロテクターを採用している。
【００２７】
実施の形態の前記プロテクター３は、図４に詳細に示すように、金属小板で造られ、四隅角部にリング挿通孔３６ａ…３６ｄを設けてなる多数の金属板製駒片３５を、隣接する縁部を互に重合させると共に挿通孔３６ａ…３６ｄに金属製リング３７を挿通して前記各駒片３５をフレキシブルに連結し、第１ないし第４の防護部３１…３４を形成して構成されている。
【００２８】
前記駒片３５の素材は特に限定するものではないが、例えば、ニッケルクロームマンガン合金や特殊アルミ合金等を採用することができる。前記駒片３５の大きさや肉厚等は特に限定するものではないが、例えば、横巾約２０ミリ〜約３０ミリ、縦巾約１８ミリ〜約２５ミリ、肉厚約０．５ミリ〜約１．５ミリ程度に形成することができる。但し、前記範囲内に限定するものではない。
実施の形態の前記駒片３５は、上下縁及び左右側縁を直線縁に形成すると共に各角部を丸く切り落した四角形状に形成してある。この場合、前記駒片３５は、例えば上下縁を直線縁に形成すると左右側縁を円弧状に切り落として概略小判形状に形成し、これを横長に連結するように構成する等、任意に変更可能である。
【００２９】
上記のように構成したプロテクター３は、図５（ａ），（ｂ）に示すように、前記駒片３５の各重合部を介して縦方向及び横方向に対して自由に折り曲げ可能となる。
【００３０】
前記プロテクター３は、前身頃部１０の収容部１４に収容され、適当部を任意の固定手段（図示せず）で固定して前身頃部１０に装着して設ける。これにより、プロテクター３を装着した状態において、前身頃部１０は図６（ａ），（ｂ）に示すように、縦方向及び横方向に対してフレキシブルに構成される。
【００３１】
階級章４は図７に詳細に示すように、階級章本体４０と、この本体４０の裏面側に適当な間隔を存して対設した一対のネジ棒４１，４１と、両ネジ棒４１にそれぞれ螺合する止めネジ部材４２（ナット部材）とを備えている。この階級章４は上述した階級章１１０と同一構成である。
【００３２】
階級章装着手段５は図７に詳細に示すように、面状ファスナ５０の一方のファスナ構成素子５０ａと、任意の生地材で形成した階級章装着用取付片５１と、この取付片５１の一方の面に縫着等で固定して設けた前記面状ファスナ５０の他のファスナ構成素子５０ｂとを備えている。
【００３３】
前記両ファスナ構成素子５０ａ，５０ｂ及び前記取付片５１の大きさ及び形状は階級章４の大きさに応じて適当に決定する。この実施の形態の両ファスナ構成素子５０ａ，５０ｂ及び前記取付片５１は適当な大きさの四角形（長方形）に形成されている。また、両ファスナ構成素子５０ａ，５０ｂは略同じ大きさに形成されている。
前記取付片５１を構成する素材は特に限定するものではなく、任意に決定できるものであるが、例えば前身頃部１０の表生地１２と同じ生地材、その他の織布や、不織布、或いは合成皮革等の生地材を採用することができる。
【００３４】
前記一方のファスナ構成素子５０ａは階級章４を装着する部位における前身頃部１０の表面（この実施の形態では表生地１２の表面）に縫着等で固定して設けてある。前記取付片５１は他方のファスナ構成素子５０ｂを一方のファスナ構成素子５０ａと対面させると共に一方のファスナ構成素子の上縁部側に沿わせて前身頃部１０の表面（この実施の形態では表生地１２の表面）に縫着等５２に固定され、この固定部をヒンジ部として一方のファスナ構成素子５０ａに対して接近・離反自在に設けてある。これにより、前記取付片５１を一方のファスナ構成素子５０ａへ押し付けると取付片５１は面状ファスナ５０により前身頃部１０に係脱自在に係着される。また、この状態において前記取付片５１を離反方向へ引っ張ることにより面状ファスナ５０による係着は解除され、図７（ｂ）等に示すように、前記取付片５１は縫着等５２による固定部をヒンジ部として離反自在に構成されている。
【００３５】
階級章４は前記取付片５１に装着するもので、前記取付片５１には階級章４の両ネジ棒４１間の間隔と対応する間隔を存してネジ挿入孔５３，５３が設けてある。前記両挿入孔５３は他方のファスナ構成素子５０ｂにも共通して設けてある。これにより、両ネジ棒４１を両挿入孔５３は挿入して貫通し、止めネジ部材４２をネジ棒４１にそれぞれ螺合して締付けることにより、階級章４は前記取付片５１に装着するように構成してある。
【００３６】
また、この実施の形態の一方のファスナ構成素子５０ａは、適当部に位置させて適当な大きさの切欠部５４が設けてある。この切欠部５４は後述するように、取付片５１に装着した階級章４の両ネジ部材４２を取付片５１の係着時に受け入れるために設けたものである。
【００３７】
実施の形態の階級章装着手段５は上記のように構成され、階級章４を上述したように前記取付片５１に装着し、この状態で取付片５１を一方のファスナ構成素子５０ａへ押し付けることにより、両止めネジ部材４２は図７（ｇ）に示すように、切欠部５４内に収容された状態で取付片５１は面状ファスナ５０により前身頃部１０に係着する。したがって、階級章４は前身頃部１０に安定して装着される。また、取付片５１を離反方向へ引っ張って面状ファスナ５０による係着を解除することにより、階級章４を取付片５１から簡単に取外すことができる。
【００３８】
なお、実施の形態の階級章装着手段５は一例として開示したもので、上記構成に限定するものではない。例えば、前記取付片５１を構成する生地材の長さを前記取付片５１の略二倍程度の長さに形成し、生地材の一半部（下半部）に前記一方のファスナ構成素子５０ａを、また、他半部（上半部）に前記他方のファスナ構成素子５０ｂを縫着等で固定して設ける。これにより、生地材の他半部（上半部）で前記取付片５を構成する。そして、生地材の下半部の周縁部を前身頃部１０の所定部位の表面に縫着等で固定する等の構成、その他、実用新案登録請求の範囲に記載の技術思想を越脱しない範囲内において任意に変更可能である。
【００３９】
また、実施の形態のチョッキ本体１及びプロテクター３は一例として開示したもので、上記構成に限定するものではなく、任意の構成に変更可能なこと勿論である。
【００４０】
さらにまた、上記した実施の形態では、プロテクター３として防刃プロテクターを採用した例を開示したが、プロテクター３は防弾プロテクター、或いは防刃・防弾兼用プロテクター等を採用できること勿論である。
【図面の簡単な説明】
【００４１】
【図１】本考案の一実施の形態の防御チョッキを示す図であって、同図（ａ）は前記チョッキの構成を概略的に示す正面説明図、同図（ｂ）は同じく背面説明図である。
【図２】前記チョッキの前身頃部を示す図であって、図２（ａ）は前身頃部の構成を概略的に示す正面説明図、同図（ｂ）は同図（ａ）のＡ−Ａ線断面説明図、同図（ｃ）は同図（ａ）のＢ−Ｂ線断面説明図である。
【図３】前記チョッキの後身頃部を示す図であって、図３（ａ）は後身頃部の構成を内側面側から見て概略的に示す正面説明図、同図（ｂ）は前記後身頃部に採用した腰ベルトの一部を拡大し、その構成を概略的に示す説明図である。
【図４】前記チョッキのプロテクターを示す図であって、図４（ａ）は前記プロテクターの全体構成を概略的に示す正面説明図、同図（ｂ）は前記プロテクターの一部を拡大し、その構成を概略的に示す正面説明図、同図（ｃ）は前記プロテクターに採用した金属板製駒片の構成を概略的に示す斜視図である。
【図５】図５（ａ）及び（ｂ）は前記プロテクターの作用説明図である。
【図６】図６（ａ）及び（ｂ）は前記プロテクターを装着した前記前身頃部の作用説明図である。
【図７】前記チョッキの前身頃部に設けた階級章装着手段を示す説明図であって、図７（ａ）は前記装着手段の構成を概略的に示す正面説明図、同図（ｂ）は同図（ａ）のＣ−Ｃ線拡大断面説明図、同図（ｃ）は前記装着手段の階級章装着用取付片の係着を解除し、前身頃部側に開いた状態の構成を概略的に示す正面説明図、同図（ｄ）は前記装着手段に採用した面状ファスナの一方のファスナ構成素子の構成を概略的に示す斜視図、同図（ｅ）は階級章の構成を概略的に示す平面説明図、同図（ｆ）は同じく側面説明図、同図（ｇ）は階級章を前身頃部に装着した状態の構成を概略的に示す縦断面説明図である。
【図８】前記防御チョッキの着用状態を示す説明図である。
【図９】従来の防御チョッキの一例を示す説明図であって、図９（ａ）は前記チョッキの構成を概略的に示す正面説明図、同図（ｂ）は同図（ａ）のＤ−Ｄ線で切断し、前身頃部の構成を概略的に示す断面説明図、同図（ｃ）は同図（ａ）のＥ−Ｅ線で切断し、前身頃部の一部を拡大すると共に階級章を装着した状態の構成を概略的に示す断面説明図、同図（ｄ）及び（ｅ）は従来の前記チョッキに階級章を装着する他の装着方法を概略的に示す説明図である。
【符号の説明】
【００４２】
１        チョッキ本体
３        プロテクター
４        階級章
５        階級章装着手段
１０      前身頃部
５０      面状ファスナ
５０ａ    一方のファスナ構成素子
５０ｄ    他方のファスナ構成素子
５１      階級章装着用取付片
【図１】
0003127396.tif 000003
【図２】
0003127396.tif 000004
【図３】
0003127396.tif 000005
【図４】
0003127396.tif 000006
【図５】
0003127396.tif 000007
【図６】
0003127396.tif 000008
【図７】
0003127396.tif 000009
【図８】
0003127396.tif 000010
【図９】
0003127396.tif 000011